(57)【要約】【課題】同一ファインダー視野内の異なる位置に、２つ以上の自発光型表示素子を用いて情報表示をする際に、２つの表示素子の輝度の見え方を、カメラを大型化せずに調整できる光学機器の表示装置を提供すること。【解決手段】同一ファインダーの視野内に情報を表示する少なくとも２つの表示素子（１１，１３）と、表示素子と撮影者の間に表示素子各々に対応して配置された、光路長の異なる光路折り曲げプリズム（１２，１４）を有し、前記少なくとも２つの光路折り曲げプリズムの濃度が異なることを特徴とする。【選択図】図３
2017032885.tif 000002
【特許請求の範囲】
【請求項１】
同一ファインダーの視野内に情報を表示する少なくとも２つの表示素子（１１，１３）と
表示素子と撮影者の間に表示素子各々に対応して配置された、光路長の異なる光路折り曲げプリズム（１２，１４）を有し、
前記少なくとも２つの光路折り曲げプリズムの濃度が異なることを特徴とする光学機器の表示装置。
【請求項２】
前記濃度とは着色材料の濃度であることを特徴とする請求項１に記載の光学機器の表示装置。
【請求項３】
前記着色材料はどちらか一方は所定の波長域の光だけ透過、もしくは吸収することで減光する波長選択性をもつ着色材料で、もう一方は波長選択性を持たない着色材料であることを特徴とする請求項１又は請求項２に記載の光学機器の表示装置。
【請求項４】
前記光路折り曲げプリズムの濃度は、光路折り曲げプリズム内の光路長が長い方の濃度の方が、他方の光路折り曲げプリズムの濃度よりも薄いことを特徴とする請求項１乃至請求項３の何れか一項に記載の光学機器の表示装置。
【請求項５】
前記光路折り曲げプリズムの濃度は、反射面に蒸着のある光路折り曲げプリズムの方が、反射面に蒸着のない光路折り曲げプリズムの濃度よりも薄いことを特徴とする請求項１乃至請求項４の何れか一項に記載の光学機器の表示装置。
【請求項６】
同一ファインダーの視野内に情報を表示する少なくとも２つの表示素子（１１，１３）と
表示素子と撮影者の間に表示素子各々に対応して配置された、光路長の異なる光路折り曲げプリズム（１２，１４）を有し、
前記少なくとも２つの光路折り曲げプリズムの色が異なることを特徴とする光学機器の表示装置。
【請求項７】
前記表示素子の外形は短辺の長さが同一の長さであることを特徴とする請求項４に記載の光学機器の表示装置。
【請求項８】
前記表示素子の外形は長辺の長さが同一の長さであることを特徴とする請求項４に記載の光学機器の表示装置。
【発明の詳細な説明】
【技術分野】
【０００１】
本発明は、一眼レフカメラ、デジタル一眼レフカメラ等に関し、特にファインダー内に所定の情報を表示する為に、表示素子から発光される表示光の光路を変更する折り曲げプリズムを採用した光学機器の表示装置に関する。
【背景技術】
【０００２】
従来、有機ＥＬ（Organic Electro Luminescence）を利用した、有機発光ダイオード（Organic Light Emitting Diode）（以下ＯＬＥＤ）等の自発光型の表示素子を用いてカメラのファインダー内に情報を表示する方法の例として、特許文献１に開示されたような方法がある。
【０００３】
この方法では、被写体の輝度により、情報表示光の輝度を調整する構成の中で、有機ＥＬ等の自発光型の表示素子は、その特性から、電流値を限界まで減少させても、ある一定の明るさから暗くする事が出来ない事から、表示素子の発光面と撮影者の間に減光部材を配置する構成となっている。
【先行技術文献】
【特許文献】
【０００４】
【特許文献１】特開２０１５−４０９６２号公報
【発明の概要】
【発明が解決しようとする課題】
【０００５】
しかしながら、上述の特許文献１に開示された従来技術では、次のような課題があった。情報表示が同一ファインダー視野内の異なる位置に２つ以上あった場合、撮影者までの光学系（主に表示素子から撮影者までに表示光を導く光路折り曲げプリズム光学系の光路長）がそれぞれ異なり、プリズムの透過率を変更する事で減光する構成をとった場合、それぞれの透過率の関係はどうあるべきかといった問題までは言及されていない。
【０００６】
そこで、本発明の目的は、同一ファインダー視野内の異なる位置に、２つ以上の自発光型表示素子を用いて情報表示をする際に、２つの表示素子の輝度の見え方を、カメラを大型化せずに調整できる光学機器の表示装置を提供することにある。
【課題を解決するための手段】
【０００７】
上記の目的を達成するために、本発明に係る光学機器の表示装置は、
同一ファインダーの視野内に情報を表示する少なくとも２つの表示素子（１１，１３）と
表示素子と撮影者の間に表示素子各々に対応して配置された、光路長の異なる光路折り曲げプリズム（１２，１４）を有し、
前記少なくとも２つの光路折り曲げプリズムの濃度が異なる事を特徴とする。
【発明の効果】
【０００８】
本発明に係る光学機器の表示装置によれば、同一ファインダー視野内の異なる位置に２つ以上の自発光型表示素子を用いて情報表示をする際に、２つの表示素子の輝度を、カメラを大型化せずに調整する事ができる。
【図面の簡単な説明】
【０００９】
【図１】本発明の実施例におけるカメラの全体構成を示す概略図
【図２】本発明の実施例におけるファインダーの視野と情報表示図
【図３】本発明の実施例における表示素子と光路折り曲げプリズムの配置構成を示す斜視図
【図４（Ａ）】本発明の実施例における光路折り曲げプリズムの配置構成を示す背面図
【図４（Ｂ）】本発明の実施例における光路折り曲げプリズムの配置構成を示すＡ−Ａ断面図
【図４（Ｃ）】本発明の実施例における光路折り曲げプリズムの配置構成を示すＡ−Ａ断面の拡大図
【図５（Ａ）】本発明の実施例における光路折り曲げプリズムの配置構成を示す側面図
【図５（Ｂ）】本発明の実施例における光路折り曲げプリズムの配置構成を示すＢ−Ｂ断面図
【図５（Ｃ）】本発明の実施例における光路折り曲げプリズムの配置構成を示すＢ−Ｂ断面の拡大図
【発明を実施するための形態】
【００１０】
本発明のカメラの実施の形態について図面を参照しながら説明する。本実施形態におけるカメラは、銀塩フィルムを用いた一眼レフスチルカメラ或いはＣＣＤやＣＭＯＳ型等の個体撮像素子を用いたデジタル一眼レフカメラ（以下、Ｄ−ＳＬＲ）に適用される。
【００１１】
図１は本発明の実施例にかかる一眼レフカメラの概略図である。
【００１２】
１はカメラ本体であり、後述のシャッター４や撮像素子５など撮影に必要な部品を有している。２は撮影レンズで便宜上枚２枚のレンズで示したが、実際にはさらに多数のレンズから構成されている事は周知の通りである。３は主ミラーで、観察状態と撮影状態に応じて撮影光路に斜設あるいは退避される。４はシャッター、５は感光部材で、銀塩フィルムあるいはＣＣＤやＣＭＯＳ型等の撮像素子である。６は撮影レンズ２の予定結像面に配置されたフォーカシングスクリーンであり、撮影レンズ２からの撮影光が主ミラー３に反射されてフォーカシングスクリーン上に一次結像される。
【００１３】
７はダハ面による左右反転と上下反転、さらに２回目の反射面にて、上下反転する事により、撮影レンズ２の予定結像面に配置されたフォーカシングスクリーンに左右反転した状態で一次結像された像を、接眼系に正立正像に復元して導くファインダー光路変更用のペンタダハプリズムである。撮影者は撮影レンズ２を通った被写界像（図２の１５）をペンタダハプリズム７、接眼レンズ８を通じて見ることができる、いわゆるＴＴＬ方式の光学ファインダー構成となっている。
【００１４】
９ａ、９ｂはフォーカシングスクリーン６上に一次結像された像を、ペンタダハプリズム７を介して後述の測光用受光素子（以下、測光センサと記す）１０に二次結像させるための測光用の光学部材（以下、測光レンズと記す）である。本実施例では測光レンズ９ａ、９ｂは２枚で構成され、フォーカシングスクリーン６上に一次結像された像を測光レンズ９ａで上側に光変換し、測光レンズ９ｂによって測光センサ１０に結像される光学系となっており、測光光学系周りのメカ構成の小型化が可能となっている。
【００１５】
測光センサ１０は、例えばＣＣＤやＣＭＯＳ等の受光素子であり、測光レンズ９ａ、９ｂによって結像された像の情報から、被写界輝度や被写体の位置等検出し、その結果からカメラの露出制御や情報表示の輝度変調、焦点検出の補助等が行われる。以上、前記測光レンズ９ａ、９ｂ及び前記測光センサ１０とこれらを保持する保持部材からなる構成が測光ユニットとなる。
【００１６】
１１及び図２の１３はファインダー内情報表示用デバイスで選択されたセグメント領域のみを光透過可能とする、ツイステッドネマティックモード（Twisted Nematic mode）を利用したＴＮ液晶素子や、有機ＥＬ（Organic Electro Luminescence）を利用した有機発光ダイオード（Organic Light Emitting Diode）以下ＯＬＥＤ等の自発光型の表示素子が用いられ、視認性の良い波長域５５０ｎｍ付近の緑色の表示光を使用している。
【００１７】
１２及び図３の１４は光路折り曲げプリズムで、材質にＰＣやＰＭＭＡを使用し、前述したファインダー内情報表示用デバイスにより表示される情報光の光路を折り曲げて撮影者へ導く導光部材である。１１及び１３のファインダー内表示用デバイスはフォーカシングスクリーン６に一次結像された被写界像と視度が略一致するように、１２及び１４の光路折り曲げプリズムの光路長及び屈折率を加味して配置されており、被写界像の周囲に（図２の１６、１７）のように情報表示を出すことが可能な構成となっている。
【００１８】
続いて、図２〜図３、及び図４（Ａ）、図５（Ａ）を用いて、本発明の実施の形態における、光路折り曲げプリズム（１２，１４）の配置構成について説明する。
【００１９】
図２は本発明の実施例におけるファインダーの視野と情報表示図である。図３は本発明の実施例における表示素子と光路折り曲げプリズムの配置構成を示す斜視図である。図４（Ａ）は本発明の実施例における光路折り曲げプリズムの配置構成を示す背面図である。図５（Ａ）は本発明の実施例における光路折り曲げプリズムの配置構成を示す側面図である。
【００２０】
図２のようにファインダー視野の下、及び右に情報を表示する為、図３のように、ファインダー視野下用の表示用デバイス（以下Ｕ−ＯＬＥＤ）１１は前述のようにフォーカシングスクリーン６に一次結像された像と視度が略一致するように、ファインダー視野下用導光部材（以下Ｕプリズム）１２の光路長及び屈折率を加味して配置されている。Ｕプリズム１２の下には図１のようにシャッターユニット４が配置されているため、Ｕプリズム１２内で２回反射による光路折り曲げを行う事でＵプリズム１２下のスペースを確保できるような構成になっている。前述の反射の為に、Ｕプリズム１２の反射面１２ｄ、１２ｅにはアルミ等のミラー蒸着が施されている。
【００２１】
次に、ファインダー視野右用の表示用デバイス（以下Ｒ−ＯＬＥＤ）１３も前述のようにフォーカシングスクリーン６に一次結像された像と視度が略一致するように、ファインダー視野右用導光部材（以下Ｒプリズム）１４の光路長及び屈折率を加味して配置されている。図３（Ａ）におけるＲプリズム１４の左側には不図示のミラー駆動機構が配置されている為、Ｒプリズム１４内では１回反射による光路折り曲げを行い、Ｒ−ＯＬＥＤ１３を縦に配置する事で、Ｒ−ＯＬＥＤ１３左側のスペースを確保できるような構成になっている。Ｒプリズム１４においては、前述した反射面は全反射角を満たしているため、ミラー蒸着は施されていない。本実施例ではＵプリズム１２及びＲプリズム１４の材質はＰＭＭAを使用している。
【００２２】
なお、反射面の蒸着の有無については、光学系の配置によりその都度判断するのが好ましく、本実施例ではＵプリズム１２の２回の反射面は蒸着が施され、Ｒプリズム１４の１回の反射面は全反射角を満たす為、蒸着はなされていない構成となっている。
【００２３】
次に前記表示用デバイス（１１，１３）を減光させる構成について説明する。
【００２４】
前述のように、情報表示用デバイスには、選択されたセグメント領域のみを光透過可能とする、ツイステッドネマティックモード（Twisted Nematic mode）を利用したＴＮ液晶素子や、有機ＥＬ（Organic Electro Luminescence）を利用した有機発光ダイオード（Organic Light Emitting Diode）以下ＯＬＥＤ等の自発光型の表示素子が用いられるが、表示のコントラストや輝度のムラの観点からＯＬＥＤ等の自発光型の表示素子を用いるのが好ましい。しかし、ＯＬＥＤ等の自発光型の表示素子は特性上電流値を下げても、ある一定の明るさよりも低い輝度での光量制御が出来ない。そこで本実施例では、Ｕプリズム１２及びＲプリズム１４の透過率を、着色材料を混ぜる事により下げ、波長域５５０ｎｍ付近の表示光を、所望の輝度まで減光する構成としている。
【００２５】
本実施例では波長域５５０ｎｍ付近の輝度を約２１％程度にするのが好ましいので、図４（Ｂ）、（Ｃ）図５（Ｂ）、（Ｃ）を用いてＵプリズム１２及び、Ｒプリズム１４を透過したのち、表示輝度が２１％になる構成について説明する。
【００２６】
図４（Ｂ）は本発明の実施例における光路折り曲げプリズムの配置構成を示すＡ−Ａ断面図である。図４（Ｃ）は本発明の実施例における光路折り曲げプリズムの配置構成を示すＡ−Ａ断面の拡大図である。図５（Ｂ）は本発明の実施例における光路折り曲げプリズムの配置構成を示すＢ−Ｂ断面図である。図５（Ｃ）は本発明の実施例における光路折り曲げプリズムの配置構成を示すＢ−Ｂ断面の拡大図である。
【００２７】
図４（Ｃ）のようにＵプリズム１２内の光路長１２ａ、１２ｂ、１２ｃの合計は約８．２４ｍｍで、且つ前述のように２回の反射面（１２ｄ，１２ｅ）を有している。本実施例では１回の反射面の反射率は８６％なので、反射による輝度の低下を考慮して、光路長ｘ１＝８．２４ｍｍで透過率Τ１が２１％になるように着色材料の濃度を調整したプリズム材料の吸収係数α１を求めると下記の計算式（１）のように透過率Τは吸収係数αと光路長ｘにより表す事ができることから、吸収係数α１＝０．１５３と算出できる。
透過率Τ＝ｅ−αｘ・・・式（１）
０．２１＝ｅ−α１×８．２４×０．８６×０．８６
α１＝０．１５３
次に図５（Ｂ）のようにＲプリズム１４の光路長１４ａ、１４ｂの合計は約５．５ｍｍなので、Ｕプリズム１２と同じ吸収係数α１＝０．１５３になる着色材の濃度の材料を使用した場合、光路長ｘ2＝５．５ｍｍの透過率Τ２を下記の前記計算式（１）より求めると４３％となってしまい、所望の透過率２１％よりも明るくなってしまう。
透過率Τ＝ｅ−αｘ・・・式（１）
Τ２＝ｅ−０．１５３×５．５
Τ２＝０．４３１・・・４３％
もし、Ｕプリズム１２と同一の吸収係数になるような着色材の濃度を使用し、透過率を２１％にする為の光路長ｘ２は前記計算式（１）から求めると、ｘ２＝１０．２０ｍｍとなり、プリズム及び、カメラが大型化してしまう懸念がある。
透過率Τ＝ｅ−αｘ・・・式（１）
０．２１＝ｅ−０．１５３×ｘ２
ｘ２＝１０．２０
そこで、Ｒプリズム１４の透過率を、光路長５．５ｍｍを変更せずに透過率が２１％になるように、材料の吸収係数α２を前述の計算式（１）から算出するとα２＝０．２８４となる。
透過率Τ＝ｅ−αｘ・・・式（１）
０．２１＝ｅ−α２×５．５
α２＝０．２８４
このように、Ｕプリズム１２とは異なる吸収係数になるように着色材料の濃度を調整し、Ｒプリズム１４に使用することでプリズムの大型化を防ぐ事が可能となる。
【００２８】
以上から、例えば下記のように、材料の厚さ１ｍｍの透過率Τを表す事が出来る。
【００２９】
サンプルの表面反射による損失（材料ＰＭＭAの場合０.９１）を考慮して、Ｕプリズム１２の材料１ｍｍ厚の透過率ＴＵは吸収係数α１＝０．１５３より前述の式（１）から求めると約７８％となる。
透過率Τ＝ｅ−αｘ・・・式（１）
ΤＵ＝ｅ−０．１５３×１×０．９１
ΤＵ＝０．７８０８⇒７８％
またＲプリズム１４の材料１ｍｍの透過率ΤＲは吸収係数α２＝０．２８４より、前述の式（１）から求めると約６７％となる。
透過率Τ＝ｅ−αｘ・・・式（１）
ΤＲ＝ｅ−０．２８４×１×０．９１  
ΤＲ＝０．６８５⇒６９％
上記のように材料１ｍｍ厚（もしくは任意の厚み）のサンプルプレート等の透過率を規定する事でプリズムの成形材料の濃度を管理することができる。
【００３０】
上記のように、光路長が長い、もしくは反射面で輝度の低下が起きるプリズムの透過率に対し、光路長の短い、もしくは反射面で輝度の低下の起きないプリズムの着色材料の濃度を濃くすることによりカメラの大型化を防ぐ事が可能となる。
【００３１】
本実施例では、Ｕプリズム１２とＲプリズム１４の材質をＰＭＭAで同一の材料を使用したが、ＰＣや他の材質を使う事で、材料自体の透過率やインデックスの差を利用して透過率や光路長を調整してもよいし、反射面の蒸着種類を変えることにより反射率を調整してプリズムの減光度合いを調整してもよい。また、前述した、着色材料の濃度の調整と材質の違いによる透過率の差、及び反射面の蒸着種類を変えることによる反射率の調整をあわせて方利用してプリズムの減光度合いを変えてもよい。
【００３２】
ここで、表示光を減光する方法としてプリズムの透過率を下げるのではなく、同じ厚みで透過率を一定に下げる事の出来るＮＤフィルター等を表示用デバイスと撮影者の間に挿入する事も考えられるが、光学部材が増える事による面反射回数の増加により、表示光が二重に見えるといったゴーストが発生する可能性が高いため、本実施例のように、プリズムの透過率を下げる事で表示光を減光するのが望ましい。
【００３３】
また、本実施例ではＲプリズム１４内を光が通過した時の透過率の設定を、Ｕプリズム１２内を光が通過した時の透過率と同じになるように設定したが、表示領域の発光面積の違いによって狙いを変えてもよい。例えば、Ｕ−ＯＬＥＤ１１に対し、Ｒ−ＯＬＥＤ１３の表示面積が大きい場合、Ｒプリズム１４内を光が通過した時の透過率の狙いをＵプリズム１２内を光が透過した時の透過率に対して下げてもよい。また、表示内容によって狙いを変えてもよい。例えば、合焦マークや、警告内容等、撮影者にとって重要な情報をＲ−ＯＬＥＤ１３表示に集約し、Ｒ−ＯＬＥＤ１３の表示輝度が高くなるように、Ｒプリズム１４の透過率の狙いをＵプリズム１２よりも上げるような構成にしてもよい。
【００３４】
また、どちらか一方のプリズムの着色材料に、所定の波長域の光だけ透過、もしくは吸収することで減光するといった、波長選択性をもつ材料を使い、もう一方のプリズムの着色材料に全波長フラットに吸収する材料を使う事も考えられる。本実施例のような波長域５５０ｎｍ付近の波長を表示光に使う場合、一方はグリーンのプリズム、もう一方はグレーがかったプリズムとなり、プリズム単品において、２つのプリズムを判別することが可能となり、誤成形や誤組立が防止できる。
【００３５】
上述の通り、本発明によって、光路折り曲げプリズムの光路長の違い、もしくは反射面の蒸着の有無等の違いにより、プリズムの着色材料の濃度を変更することでカメラの大型化を防ぐ構成が期待できる。
【００３６】
次に第二の実施例として、ＯＬＥＤ等の自発光型の表示素子を二つ以上用いて、カメラのファインダー内に情報を表示する際に、各々の表示の色を異ならせる場合の例を説明する。
【００３７】
情報表示が同一ファインダー視野内の異なる位置に２つ以上ある場合、各々の色を異ならせてユーザーに機能を分かりやすく視認性を上げる為に、各々の表示を別の色にする方法が考えられる。その際、ＯＬＥＤの発光色を異ならせるのではなく、光路折り曲げプリズムの着色材料の色を各々変える事で、ＯＬＥＤの作成工程において、同一のガラス基板に同じ色の有機材料を形成する事で作成することができるようになる。また各々のＯＬＥＤの外形の長辺、もしくは短辺の長さを統一しておくことで、大量に同一基板上につくられたＯＬＥＤの外形をカットする際に無駄な部分が発生せず、加工コストを下げる事が可能となる。
【００３８】
上述の通り、本発明によって、情報表示の色を各々変える場合においても、ＯＬＥＤの発光色を変えるのではなく、光路折り曲げプリズムの色を変更することでコストの低減が期待できる。
【００３９】
以上、本発明の好ましい実施形態について説明したが、本発明はこれらの実施形態に限定されず、その要旨の範囲内で種々の変形及び変更が可能である。
【符号の説明】
【００４０】
１１  ファインダー視野下用の表示用デバイス、１２  ファインダー視野下用導光部材、
１２ａ，ｂ，ｃ  光路長、１２ｄ，ｅ  反射面、
１３  ファインダー視野右用の表示用デバイス、
１４  ファインダー視野右用導光部材、１４ａ，ｂ  光路長、１５  被写界像、
１６  情報表示、１７  情報表示
【図１】
2017032885.tif 000003
【図２】
2017032885.tif 000004
【図３】
2017032885.tif 000005
【図４（Ａ）】
2017032885.tif 000006
【図４（Ｂ）】
2017032885.tif 000007
【図４（Ｃ）】
2017032885.tif 000008
【図５（Ａ）】
2017032885.tif 000009
【図５（Ｂ）】
2017032885.tif 000010
【図５（Ｃ）】
2017032885.tif 000011